(57)【要約】【課題】  構造が簡易で、且つ傾斜ロッドに大きな回転モーメントが作用しない射出成形金型構造を提供する。【解決手段】  アンダーカット部１０ａを有する成形品１０の射出成形金型の構造であって、一端部３ａをエジェクタ板１に固定し、このエジェクタ板１の移動方向に対して傾斜して金型本体７の挿通孔８を貫通すると共に、他端部３ｂでスライドコア２を支持する傾斜ロッド３と、一端部６ａをエジェクタ板１に固定し、エジェクタ板１の移動方向と同じ方向で金型本体７の挿通孔９を貫通すると共に、エジェクタ板１の押出し動作開始直後のみ他端部６ｂでスライドコア２を支持する直押ロッド６を備える。【選択図】        図２
2011093208.tif 000002
【特許請求の範囲】
【請求項１】
アンダーカット部を有する成形品の射出成形金型の構造であって、一端部をエジェクタ板に固定し、このエジェクタ板の移動方向に対して傾斜して金型本体の挿通孔を貫通すると共に、他端部でスライドコアを支持する傾斜ロッドと、一端部を前記エジェクタ板に固定し、前記エジェクタ板の移動方向と同じ方向で前記金型本体の挿通孔を貫通すると共に、前記エジェクタ板の押出し動作開始直後のみ他端部で前記スライドコアを支持する直押ロッドを備えることを特徴とする射出成形金型構造。
【請求項２】
請求項１記載の射出成形金型構造において、前記直押ロッドは、前記スライドコアが前記金型本体から離れた後には前記スライドコアとの間に隙間を形成して移動することを特徴とする射出成形金型構造。
【請求項３】
請求項１又は２記載の射出成形金型構造において、前記直押ロッドの他端部が前記スライドコアに当接する面は、前記直押ロッドの移動方向に対して傾斜していることを特徴とする射出成形金型構造。
【発明の詳細な説明】
【技術分野】
【０００１】
本発明は、アンダーカット部を有する成形品の射出成形金型の構造に関する。
【背景技術】
【０００２】
従来、アンダーカット部を有する射出成形品の加工手段としては、アンダーカット部の内型を成形品から抜くために内型を成形品の内側にずらしながら離型するスライドコアが知られている。
【０００３】
一般に、スライドコアはエジェクタ板の移動方向に対して傾斜して移動する傾斜ロッドにより支持されている。スライドコアが可動型本体から離れる初期移動時には、金型同士が嵌まり込んでいることに起因するクサビ抵抗や樹脂の収縮による離型抵抗などにより、傾斜ロッドには大きな回転モーメントが作用し、挫屈してしまう虞がある。
【０００４】
そこで、特許文献１には、エジェクタ板の移動方向に対して傾斜して受板の挿通孔を貫通していると共に一端部でスライドコアを保持している傾斜ピンと、傾斜ピンの他端部を保持していると共に、エジェクタ板の移動に基づいて傾斜ピンをエジェクタ板の移動方向に対して傾斜する傾斜方向に案内移動させる案内移動手段と、傾斜ピンの他端部側に配されて受板に固定されていると共に、傾斜ピンを摺動自在に且つ揺動自在に支持するピン支持体とを具備する射出成形金型構造が開示されている。
【先行技術文献】
【特許文献】
【０００５】
【特許文献１】特開２００４−３３０４４３号公報
【発明の概要】
【発明が解決しようとする課題】
【０００６】
しかし、特許文献１に記載の発明においては、エジェクタ板の移動に基づいて傾斜ピンをエジェクタ板の移動方向に対して傾斜する傾斜方向に案内移動させる案内移動手段や傾斜ピンを摺動自在に且つ揺動自在に支持するピン支持体などを具備しなければならないため、構造が複雑になるという問題がある。
【０００７】
本発明は、従来の技術が有するこのような問題点に鑑みてなされたものであり、その目的とするところは、構造が簡易で、且つ傾斜ロッドに大きな回転モーメントが作用しない射出成形金型構造を提供しようとするものである。
【課題を解決するための手段】
【０００８】
上記課題を解決すべく本発明は、アンダーカット部を有する成形品の射出成形金型の構造であって、一端部をエジェクタ板に固定し、このエジェクタ板の移動方向に対して傾斜して金型本体の挿通孔を貫通すると共に、他端部でスライドコアを支持する傾斜ロッドと、一端部を前記エジェクタ板に固定し、前記エジェクタ板の移動方向と同じ方向で前記金型本体の挿通孔を貫通すると共に、前記エジェクタ板の押出し動作開始直後のみ他端部で前記スライドコアを支持する直押ロッドを備える。
【０００９】
また、前記直押ロッドは、前記スライドコアが前記金型本体から離れた後には前記スライドコアとの間に隙間を形成して移動することができる。
【００１０】
更に、前記直押ロッドの他端部が前記スライドコアに当接する面を、前記直押ロッドの移動方向に対して傾斜させることで、当接面の接触面積を大きくし、確実に離型させることができる。
【発明の効果】
【００１１】
本発明によれば、エジェクタ板の押出し動作開始直後のみスライドコアを支持する直押ロッドにより、傾斜ロッドは小さな力でスライドコアを支持することができ、その結果、アンダーカット部を有する成形品の離型をスムーズに行うことができる。
【００１２】
また、スライドコアが金型本体から離れた後にスライドコアとの間に隙間を形成して直押ロッドが移動すれば、直押ロッドとスライドコアの摩擦によって直押ロッドが磨耗するのを防止することができる。
【００１３】
更に、直押ロッドの他端部がスライドコアに当接する面を、直押ロッドの移動方向に対して傾斜させれば、エジェクタ板の移動に伴ってスライドコアが横方向に移動するので、直押ロッドとスライドコアとの隙間は拡大するため、直押ロッドがスライドコアに接触する可能性が低くなる。
【図面の簡単な説明】
【００１４】
【図１】本発明に係る射出成形金型構造の要部概要斜視図
【図２】本発明に係る射出成形金型構造の概要説明図
【図３】射出成形金型構造の作用説明図で、（ａ）はエジェクタ板の押出し動作開始直前の状態、（ｂ）はエジェクタ板の押出し動作開始直後の状態、（ｃ）はスライドコアが金型本体から離れた状態
【発明を実施するための形態】
【００１５】
以下に本発明の実施の形態を添付図面に基づいて説明する。本発明に係る射出成形金型構造は、図１及び図２に示すように、エジェクタ板１とスライドコア２との間に傾斜ロッド３と直押ロッド６が設けられている。
【００１６】
傾斜ロッド３は一端部３ａをエジェクタ板１に固定し、他端部３ｂでスライドコア２を支持し、エジェクタ板１の移動方向に対して傾斜している。
【００１７】
また、直押ロッド６は一端部６ａを前記エジェクタ板１に固定し、他端部６ｂでエジェクタ板１の押出し動作開始直後にスライドコア２をスライドプレート４とシム板５を介して支持する。前記傾斜ロッド３と直押ロッド６は、一対設けられている。なお、図２はエジェクタ板１が押出し動作を開始した直後の状態を示している。
【００１８】
前記傾斜ロッド３はエジェクタ板１の移動方向に対して傾斜して開けられた金型本体７の挿通孔８を貫通し、直押ロッド６はエジェクタ板１の移動方向と同じ方向に開けられた金型本体７の挿通孔９を貫通している。
【００１９】
また、直押ロッド６は、スライドコア２が金型本体７から離れた後にはスライドコア２との間に隙間Ｇを形成して移動する。更に、直押ロッド６の他端部６ｂがスライドコア２に当接する面は、直押ロッド６の移動方向に対して傾斜している。１０は成形品、１０ａは成形品１０のアンダーカット部である。
【００２０】
以上のように構成された本発明に係る射出成形金型構造の作用について説明する。先ず図３（ａ）に示すように、エジェクタ板１が矢印Ａ方向へ押出し動作開始直前の状態では、スライドコア２が金型本体７に接触し、傾斜ロッド３の他端部３ｂでスライドコア２を支持している。また、直押ロッド６の他端部６ｂに形成されている面とスライドプレート４との間にはわずかな隙間Ｇ（例えば、０．１ｍｍ）が形成されている。
【００２１】
次いで、図３（ｂ）に示すように、エジェクタ板１が矢印Ａ方向へ押出し動作開始直後の状態では、スライドコア２が金型本体７に嵌まり込んでいることに起因するクサビ抵抗や樹脂の収縮による離型抵抗などにより、スライドコア２を支持している傾斜ロッド３には、大きな回転モーメントが作用する。
【００２２】
そのため、図２に示すように、傾斜ロッド３が撓み、隙間Ｇが無くなって直押ロッド６の他端部６ｂに形成されている面がスライドプレート４とシム板５を介してスライドコア２を支持することになる。すると、傾斜ロッド３に作用する挫屈力などが軽減される。
【００２３】
次いで、図３（ｃ）に示すように、更なるエジェクタ板１の矢印Ａ方向への押出し動作により、スライドコア２を支持する直押ロッド６が移動してクサビ抵抗などが無くなり、傾斜ロッド３の撓みが解消される。傾斜ロッド３の撓みが解消されると、直押ロッド６の他端部６ｂに形成されている面とスライドプレート４との間には、再び隙間Ｇが形成される。
【００２４】
このため、エジェクタ板１の矢印Ａ方向への押出し動作により、傾斜ロッド３のみでスライドコア２を支持する。すると、スライドコア２が金型本体７から離れる。
【００２５】
このように、スライドコア２と直押ロッド６は、傾斜ロッド３が撓むエジェクタ板１の押出し動作開始直後には接触するが、スライドコア２が金型本体７から離れた後はスライドコア２と直押ロッド６の他端部６ｂは隙間Ｇを維持した状態で移動するため、摩擦などによって直押ロッド６の他端部６ｂが磨耗することがない。
【００２６】
また、スライドコア２に接する直押ロッド６の他端部６ｂに形成されている面は、直押ロッド６の移動方向に対して僅かに傾斜しているため、エジェクタ板１の矢印Ａ方向への押出し動作に伴って、スライドコア２が矢印Ｂ方向に移動する。すると、直押ロッド６の他端部６ｂに形成されている面とスライドコア２との間に形成される隙間Ｇは拡大するため、スライドコア２に直押ロッド６の他端部６ｂが接触する可能性はより低くなる。
【産業上の利用可能性】
【００２７】
本発明によれば、エジェクタ板の押出し動作開始直後のみスライドコアを支持する直押ロッドを設けることにより、アンダーカット部を有する成形品の射出成形金型構造に必要とされる傾斜ロッドは小さな力でスライドコアを支持することができる。
【符号の説明】
【００２８】
１…エジェクタ板、２…スライドコア、３…傾斜ロッド、３ａ…一端部、３ｂ…他端部、６…直押ロッド、６ａ…一端部、６ｂ…他端部、７…金型本体、８，９…挿通孔、１０…成形品、１０ａ…アンダーカット部、Ｇ…隙間。
【図１】
2011093208.tif 000003
【図２】
2011093208.tif 000004
【図３】
2011093208.tif 000005